(57)【要約】      （修正有）【課題】ミネラル結晶が人間の健康に与える影響の脳波分析システムを提供する。【解決手段】脳波分析システムは、ミネラル結晶体の干渉下にある場合とない場合の被験者の脳波の信号を検出するためのヘッドマウント機器１０と、受信したミネラル結晶体の干渉下にある場合とない場合の脳波の信号に対するＡＩ自動化処理を実行するためのミネラル結晶が脳波に及ぼす影響の処理ユニット２０と、各脳波が変化した際の人体の心身の状態に及ぼす影響を保存するための脳波の変化が心身の状態に及ぼす影響のデータベース５０と、を備えている。テスト時には前記ミネラル結晶体を被験者の異なる設定距離に設置し、前記処理ユニットは前記ヘッドマウント機器が測定した脳波の波形に基づいて統計パラメーターを算出し、前記データベースから対応する履歴データを検索し、被験者の心身に及ぼす前記ミネラル結晶体の影響を取得する。【選択図】図１
0003234583.tif 000002
【実用新案登録請求の範囲】
【請求項１】
ミネラル結晶が人間の健康に与える影響の脳波分析システムであって、被験者の脳波に及ぼすミネラル結晶体の影響をテストし、且つ前記脳波分析システムが測定された脳波の波形により前記被験者の心身に及ぼす前記ミネラル結晶体の影響を決定するために用いられ、
ミネラル結晶体の干渉下にある場合とない場合の被験者の脳波の信号を検出するためのヘッドマウント機器であって、使用時に前記ヘッドマウント機器は被験者の頭部に架設され、且つ前記ヘッドマウント機器は被験者の頭部に架設されるリングと、前記リングに位置している脳波検出器と、前記脳波検出器に接続され、前記脳波検出器が検出した脳波の信号を外部へ伝送するための脳波計送受信機と、を含むヘッドマウント機器と、
受信したミネラル結晶体の干渉下にある場合とない場合の被験者の脳波の信号に対するＡＩ自動化処理を実行し、ミネラル結晶体の作用下での脳波データを比較することにより人体の心身の状態に及ぼす影響を取得するミネラル結晶が脳波に及ぼす影響の処理ユニットと、を備え、
前記ミネラル結晶が脳波に及ぼす影響の処理ユニットは、
前記ヘッドマウント機器の脳波計送受信機に信号が接続され、前記脳波計送受信機が送信した信号を受信するための処理端送受信機と、
前記処理端送受信機に接続され、特定のアルゴリズムに基づいて被験者の各脳波の波形の統計パラメーターを算出する脳波計算ユニットと、
ミネラル結晶体及び他の電磁波の干渉の影響がない状態での被験者の各脳波の相対的データ及びその統計パラメーターを保存するための被験者データベースと、
各脳波が変化した際の人体の心身の状態に及ぼす影響を保存する脳波の変化が心身の状態に及ぼす影響のデータベースと、
前記処理端送受信機、前記被験者データベース、及び前記脳波の変化が心身の状態に及ぼす影響のデータベースに接続されている脳波比較モジュールであって、前記脳波比較モジュールはテスト中に前記脳波計算ユニットにより取得した脳波データ及び前記被験者データベースの脳波データを比較することで、両者が対応する脳波の波形の差異を確定し、いわゆる脳波データとはテスト時に取得した各脳波の相対的データ及びその統計パラメーターを指す脳波比較モジュールと、を含み、
前記脳波比較モジュールは前記脳波計算ユニットが取得したミネラル結晶体がある場合の脳波データに基づいて前記脳波の変化が心身の状態に及ぼす影響のデータベース中から対応する履歴データを検索し、前記被験者の心身に及ぼす前記ミネラル結晶体の影響を取得し、
テスト時にはある特定のミネラル結晶体を被験者の異なる設定距離に設置し、前記設定距離は人体に対し干渉が発生する距離であり、被験者が装着した前記ヘッドマウント機器により脳波の波形を測定し、且つ前記ミネラル結晶が脳波に及ぼす影響の処理ユニットにより前記脳波の波形の統計パラメーターを算出し、前記脳波の変化が心身の状態に及ぼす影響のデータベースから対応する履歴データを検索し、前記ミネラル結晶体が被験者の心身に及ぼす影響を取得することを特徴とするミネラル結晶が人間の健康に与える影響の脳波分析システム。
【請求項２】
前記脳波計算ユニットが算出した統計パラメーターは平均振幅値、分散、最大値のうちの少なくとも１項を含み、その計算方式は脳波の波形中の左脳及び右脳のデルタ波、シータ波、高／低アルファ、高／低ベータ波、及び高／低ガンマ波に基づいて統計パラメーターを取得することを特徴とする請求項１に記載のミネラル結晶が人間の健康に与える影響の脳波分析システム。
【請求項３】
前記脳波の変化が心身の状態に及ぼす影響のデータベースに保存された各脳波が変化することで人体の心身の状態に及ぼす影響は、脳波瞑想（Ｍｅｄｉｔａｔｉｏｎ）指数及び集中（Ａｔｔｅｎｔｉｏｎ）指数のうちの少なくとも１項を含むことを特徴とする請求項１に記載のミネラル結晶が人間の健康に与える影響の脳波分析システム。
【請求項４】
テスト中の前記ミネラル結晶体と被験者との設定距離は０であり、すなわち、前記ミネラル結晶体が前記被験者の皮膚に直接接触していることを特徴とする請求項１に記載のミネラル結晶が人間の健康に与える影響の脳波分析システム。
【請求項５】
テスト中の前記ミネラル結晶体と前記被験者との設定距離は５〜２５ｃｍであることを特徴とする請求項１に記載のミネラル結晶が人間の健康に与える影響の脳波分析システム。
【請求項６】
前記ミネラル結晶が脳波に及ぼす影響の処理ユニットは、前記脳波比較モジュールに接続されていると共に比較及びテスト結果を表示するための画面表示機構をさらに備えていることを特徴とする請求項１に記載のミネラル結晶が人間の健康に与える影響の脳波分析システム。
【考案の詳細な説明】
【技術分野】
【０００１】
本考案は、脳波分析の分野に関し、より詳しくは、ミネラル結晶が人間の健康に与える影響の脳波分析システムに関する。
【背景技術】
【０００２】
ミネラル結晶体は天然ミネラル結晶体（Ｎａｔｕｒａｌ  ｃｒｙｓｔａｌ  ｏｆ  ｍｉｎｅｒａｌｓ）及び人工ミネラル結晶体（Ａｒｔｉｆｉｃｉａｌ  ｏｒｅ  ｃｒｙｓｔａｌｌｉｚａｔｉｏｎ）に分けられる。
【考案の概要】
【考案が解決しようとする課題】
【０００３】
人体の装飾に用いられるミネラル結晶体の大多数は天然ミネラル結晶体であり、人体の脳波に及ぼす影響は軽微であるが、多くの人工ミネラル結晶体の電磁波及び磁場の分布が人体の脳波に及ぼす影響力は極めて大きい。人体は導電体であると同時に脳波を発受信しているため、ミネラル結晶体の電磁波の分布が人体の脳波の周波帯をカバーしている場合、或いはその磁場エネルギーが十分に強い状況で人体に接触するか近接した場合、人体の脳波へ直接様々な影響を及ぼす。
【０００４】
また、人体の左脳及び右脳のデルタ波、シータ波、高／低アルファ、高／低ベータ波、及び高／低ガンマ波は異なる物理的及び生理的意義を有し、被験者の異なる状態を示している。このため、これらの異なる脳波を測定し、数値を計算することで被験者の特性に対応する程度を知ることができる。関連する数値の計算方式は学術的に非常に広く研究されている。また、脳波計を使用して脳波を測定した後、チップ中のアルゴリズムにより被験者の特性に対応する程度を知ることができ、学術的にも非常に深く探求されている。
【０００５】
従来の学会の研究では、人の脳力の各活動が対応する脳波の現象についてはすでに深く研究がなされており、異なる脳力の活動に基づいて対応する脳波の数値を算出し、分析のために用いている。例えば、注意力や瞑想力は脳波に基づいて注意力の脳波の数値及び瞑想力の脳波の数値を算出する。
【０００６】
そこで、上記問題点に鑑みて、簡単で便利且つ高速に操作可能であり、庶民的な価格のテストシステムを開発する必要があった。被験者とミネラル結晶体との間でテスト前と後の変化量を複数回測定し、人体の健康にミネラル結晶体が影響を及ぼすか否かの技術研究を進め、分析機能を有している演算システムにより、従来の検証技術の不足を解決する。
【０００７】
本考案は、前記技術的課題に鑑みて開発されたものであり、ミネラル結晶が人間の健康に与える影響の脳波分析システムを提供することを目的とする。換言すれば、脳波測定器により被験者がミネラル結晶体の干渉を受けた場合と受けない場合の脳波の信号を測定し、且つこれら脳波の信号をＡＩ自動化方式により処理し、脳波データの各種統計パラメーター及び変化程度を比較することにより、人体の心身の状態に及ぼすミネラル結晶体の影響を取得し、例えば、瞑想（Ｍｅｄｉｔａｔｉｏｎ）指数や集中（Ａｔｔｅｎｔｉｏｎ）指数等を取得する。よって、本考案のテストシステムを応用することにより、ミネラル結晶体が人体に接近した場合に悪影響があるかどうかを高速且つ効果的に検証し、これにより精確な分析結果を取得する。
【０００８】
本明細書及び図面の記載により、少なくとも、以下の事項が明らかとなる。
【図面の簡単な説明】
【０００９】
【図１】本考案の主な部材の概略構成を示すブロック図である。
【図２】本考案のヘッドマウント機器を示す概略図である。
【図３】本考案において、人体に近い鉱物結晶を示す概略図である。
【考案を実施するための形態】
【００１０】
以下、図面を参照しつつ、本考案に係るミネラル結晶が人間の健康に与える影響の脳波分析システムについて具体的に説明する。なお、本考案は、以下に説明する実施形態に限定されるものではない。
【００１１】
まず、図１〜３を参照しながら、本考案の脳波分析システムをさらに詳しく説明する。以下、部材について説明する。
＜ヘッドマウント機器＞
【００１２】
ヘッドマウント機器１０（図２参照）は、被験者がミネラル結晶体８０の干渉下にある場合とない場合の脳波の信号を検出するために用いられている。使用時には、前記ヘッドマウント機器１０を被験者の頭部に架設する。
【００１３】
図１に示すように、前記ヘッドマウント機器１０は下記部材を備えている。
＜リング＞
【００１４】
リング１１は被験者の頭部に架設されている。
＜脳波検出器＞
【００１５】
脳波検出器１２は前記リング１１に位置し、その位置は人体の頭部に装着した後に頭部の部位に対応する。
＜脳波計送受信機＞
【００１６】
脳波計送受信機１４は前記脳波検出器１２に接続され、前記脳波検出器１２が検出した脳波の信号を外部に伝送するために用いられている。前記脳波計送受信機１４はブルートゥース（登録商標）送受信機等である。
＜ミネラル結晶が脳波に及ぼす影響の処理ユニット＞
【００１７】
ミネラル結晶が脳波に及ぼす影響の処理ユニット２０は受信したミネラル結晶体の干渉下にある場合とない場合の被験者の脳波の信号に対しＡＩ自動化処理を実行し、ミネラル結晶体の作用下での脳波データを比較することにより、人体の心身の状態に及ぼす影響を取得する。
【００１８】
また、前記ミネラル結晶が脳波に及ぼす影響の処理ユニット２０は下記部材を備えている。
＜処理端送受信機＞
【００１９】
処理端送受信機２１は前記ヘッドマウント機器１０の脳波計送受信機１４に信号が接続されている。前記処理端送受信機２１は前記ヘッドマウント機器１０の脳波計送受信機１４から送信された信号を受信するために用いられている。
＜脳波計算ユニット＞
【００２０】
脳波計算ユニット３０は前記処理端送受信機２１に接続され、特定のアルゴリズムに基づいて被験者の各脳波の波形の統計パラメーターを算出し、例えば、平均振幅値、分散、最大値等を算出する。その方式は主に脳波の波形中の左脳及び右脳のデルタ波、シータ波、高／低アルファ、高／低ベータ波、及び高／低ガンマ波に基づいて統計パラメーターを取得する。
＜被験者データベース＞
【００２１】
被験者データベース４０は被験者がミネラル結晶体及び他の電磁波の干渉の影響を受けていない状態での各脳波の相対的データ及びその統計パラメーターを保存するために用いられている。前記統計パラメーターは平均振幅値、分散、最大値等である。
＜脳波の変化が心身の状態に及ぼす影響のデータベース＞
【００２２】
脳波の変化が心身の状態に及ぼす影響のデータベース５０は各脳波（人体の左脳及び右脳のデルタ波、シータ波、高／低アルファ、高／低ベータ波、及び高／低ガンマ波を含む）が変化した際に人体の心身の状態に及ぼす影響を保存する（例えば、脳波の瞑想（Ｍｅｄｉｔａｔｉｏｎ）指数や集中（Ａｔｔｅｎｔｉｏｎ）指数のような身体または心理のある特定の部位のみに対する影響でもよい）。例えば、ある人物から測定されたシータ波の平均振幅値が正常な状況でのシータ波の平均振幅値よりも５単位偏移していた場合、この人物が注意力を集中できない状態にあることを示す。これらの影響の結果は全て従来の大量の論文中から取得可能である。
＜脳波比較モジュール＞
【００２３】
脳波比較モジュール６０は前記処理端送受信機２１、前記被験者データベース４０、及び前記脳波の変化が心身の状態に及ぼす影響のデータベース５０に接続されている。前記脳波比較モジュール６０はテスト中に前記脳波計算ユニット３０が取得した脳波データ及び前記被験者データベース４０の脳波データの統計パラメーターを比較することにより、両者が対応する脳波の波形（ＥＥＧ（ｅｌｅｃｔｒｏｅｎｃｅｐｈａｌｏｇｒａｍ、脳波図））の差異を確定する。いわゆる脳波データとはテスト時に取得した各脳波の相対的データ及びその統計パラメーターを指し、前記統計パラメーターは平均振幅値、分散等である。いわゆるテストとはある特定のミネラル結晶体８０を被験者の異なる設定距離に設置することを指し、前記設定距離が人体に干渉を及ぼす装飾の距離であり、前記ミネラル結晶体と被験者との設定距離が０である場合、前記ミネラル結晶体が前記被験者の皮膚に直接接触している（例えば、図３に示すように手に装着している）。或いは、前記ミネラル結晶体と前記被験者との設定距離が５〜２５ｃｍでもよい。
【００２４】
前記脳波比較モジュール６０は前記脳波計算ユニット３０が取得したミネラル結晶体がある場合の脳波データに基づいて、前記脳波の変化が心身の状態に及ぼす影響のデータベース５０中から対応する履歴データを検索することにより、前記被験者の心身に及ぼす前記ミネラル結晶体８０の影響を取得する。
＜画面表示機構＞
【００２５】
画面表示機構２２は前記脳波比較モジュール６０に接続され、比較及びテスト結果を表示するために用いられている。
【００２６】
前記ミネラル結晶が脳波に及ぼす影響の処理ユニット２０はパソコン、携帯電話、タブレット端末等の各種異なる電子情報装置に装設可能である。
【００２７】
本考案の利点は、脳波測定器により被験者がミネラル結晶体の干渉を受けた場合と受けない場合の脳波の信号を測定し、且つこれら脳波の信号をＡＩ自動化方式で処理することにより、脳波データの各種統計パラメーター及び変化の程度を比較し、人体の心身の状態に及ぼすミネラル結晶体の影響を取得し、例えば、瞑想（Ｍｅｄｉｔａｔｉｏｎ）指数や集中（Ａｔｔｅｎｔｉｏｎ）指数等を取得する。よって、本考案のテストシステムを応用することにより、ミネラル結晶体が人体に接近した際に悪影響があるかどうかを高速且つ効果的に検証可能であり、こうして精確な分析結果を取得できる。
【００２８】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００２９】
１０  ヘッドマウント機器
１１  リング
１２  脳波検出器
１４  脳波計送受信機
２０  ミネラル結晶が脳波に及ぼす影響の処理ユニット
２１  処理端送受信機
２２  画面表示機構
３０  脳波計算ユニット
４０  被験者データベース
５０  脳波の変化が心身の状態に及ぼす影響のデータベース
６０  脳波比較モジュール
８０  ミネラル結晶体
【図１】
0003234583.tif 000003
【図２】
0003234583.tif 000004
【図３】
0003234583.tif 000005